(57)【要約】【課題】高い吊り下げ可能重量を発揮しつつ、高い耐久性を実現可能な玉掛け用繊維スリングを提供する。【解決手段】本発明の玉掛け用繊維スリングは、長さ方向に延びる本体部１と、本体部１の一端に形成された第１アイ部３と、本体部１の他端に形成された第２アイ部５とからなる。本体部１には、一端９ａ、１１ａが第１アイ部３側に位置し、他端９ｂ、１１ｂが第２アイ部５側に位置し、一端９ａ、１１ａから他端９ｂ、１１ｂまで連続する線状の第１補強材９、１１が設けられている。【選択図】図３
2020121856.tif 000002
【特許請求の範囲】
【請求項１】
長さ方向に延びる本体部と、前記本体部の一端に形成された第１アイ部と、前記本体部の他端に形成された第２アイ部とからなる玉掛け用繊維スリングにおいて、
前記本体部には、一端が前記第１アイ部側に位置し、他端が前記第２アイ部側に位置し、前記一端から前記他端まで連続する線状の第１補強材が設けられていることを特徴とする玉掛け用繊維スリング。
【請求項２】
前記第１補強材は、線状の芯材と、前記芯材を被覆した被覆層とからなる請求項１記載の玉掛け用繊維スリング。
【請求項３】
前記第１アイ部及び前記第２アイ部には、一端及び他端が前記本体部に位置し、前記一端から前記他端まで連続しつつ前記第１補強材とは非連続である線状の第２補強材が設けられている請求項１記載の玉掛け用繊維スリング。
【請求項４】
前記第２補強材は、線状の芯材と、前記芯材を被覆した被覆層とからなる請求項３記載の玉掛け用繊維スリング。
【請求項５】
前記芯材は金属製のモノフィラメントが撚られたマルチフィラメントからなるワイヤであり、前記被覆層は樹脂又はゴム製である請求項２又は４記載の玉掛け用繊維スリング。
【請求項６】
前記本体部は、前記長さ方向に延びる筒状のベルトからなる請求項１乃至５のいずれか１項記載の玉掛け用繊維スリング。
【発明の詳細な説明】
【技術分野】
【０００１】
本発明は玉掛け用繊維スリングに関する。
【背景技術】
【０００２】
特許文献１に従来の玉掛け用繊維スリングの一種として、両端アイ形ベルトスリングが開示されている。このベルトスリングは、長さ方向に延びる本体部と、本体部の一端に形成された第１アイ部と、本体部の他端に形成された第２アイ部とからなる。本体部、第１アイ部及び第２アイ部は長さ方向に帯状をなす織布からなる。織布の繊維としては、ナイロン等が採用されている。
【０００３】
このような玉掛け用繊維スリングは、第１アイ部及び第２アイ部にフック等の金具を通し、金具をクレーン等によって引き上げることによってＵ字状になった本体部で重量物を吊り上げるようにして用いられる。
【先行技術文献】
【特許文献】
【０００４】
【特許文献１】特開平７−１２５９６８号公報の図６
【発明の概要】
【発明が解決しようとする課題】
【０００５】
しかし、従来の玉掛け用繊維スリングは、本体部が帯状の織布だけであるため、本体部の織布の一部に長期の使用等によって損傷が生じてしまうと、重量物の重量が損傷部分に集中し、損傷部分が早期に繊維に解け易い。最悪の場合、このように使用に耐えない玉掛け用繊維スリングを使用し続けることにより、重量物の吊り下げ中に損傷部分が切断し、重量物を落下させてしまうこともあり得る。このため、このような玉掛け用繊維スリングは、吊り下げ可能重量が低く、耐久性が十分でない。
【０００６】
本発明は、上記従来の実情に鑑みてなされたものであって、高い吊り下げ可能重量を発揮しつつ、高い耐久性を実現可能な玉掛け用繊維スリングを提供することを解決すべき課題としている。
【課題を解決するための手段】
【０００７】
本発明の玉掛け用繊維スリングは、長さ方向に延びる本体部と、前記本体部の一端に形成された第１アイ部と、前記本体部の他端に形成された第２アイ部とからなる玉掛け用繊維スリングにおいて、
前記本体部には、一端が前記第１アイ部側に位置し、他端が前記第２アイ部側に位置し、前記一端から前記他端まで連続する線状の第１補強材が設けられていることを特徴とする。
【０００８】
本発明の玉掛け用繊維スリングでは、本体部に線状の第１補強材が設けられているため、本体部の織布の一部に長期の使用等によって損傷が生じたとしても、第１補強材が損傷を生じていない本体部の他の部分とともに重量物の重量を支持する。つまり、第１補強材は、一端が本体部の第１アイ部側に位置し、他端が本体部の第２アイ部側に位置し、一端から他端まで連続しているため、重量物の重量を直に支持するのではなく、第１補強材が存在する損傷を生じていない本体部の他の部分とともに重量物の重量を支持する。このため、この玉掛け用繊維スリングは、重量物の重量が本体部の損傷部分に集中し難いことから、繊維に解け難く、損傷部分で切断し難い。
【０００９】
また、本体部の第１補強材が第１アイ部、本体部及び第２アイ部で連続していると、第１補強材が重量物の重量を直に支持することとなり、第１補強材が吊り下げ可能重量を決定することとなる。この場合、第１補強材に長期の使用等によって損傷が生じてしまった場合、直ちに重量物の吊り下げが不可能になるおそれがある。この点、本発明に係る第１補強材は、本体部内の一端から他端まで連続しているに過ぎないことから、第１補強材だけが重量物の重量を支持せず、第１補強材に損傷が生じ難い。
【００１０】
したがって、本発明の玉掛け用繊維スリングは、高い吊り下げ可能重量を発揮しつつ、高い耐久性を実現可能である。
【００１１】
第１アイ部及び第２アイ部には、一端及び他端が本体部に位置し、一端から他端まで連続しつつ第１補強材とは非連続である線状の第２補強材が設けられていることが好ましい。この場合、第１アイ部や第２アイ部が本体部とは別に補強され、より高い吊り下げ可能重量を発揮しつつ、高い耐久性を実現可能である。
【００１２】
第１補強材や第２補強材としては、線状のものであれば、ピアノ線等の金属製、ケプラーやアラミド等の合成樹脂製等の種々のものを採用することができる。特に、第１補強材や第２補強材は、線状の芯材と、芯材を被覆した被覆層とからなることが好ましい。この場合、第１補強材や第２補強材の芯材が損傷し難く、より高い耐久性を発揮することができる。
【００１３】
芯材としては、引張強度が高く、本体部の変形と整合して弾性的に撓むことが可能なモノフィラメント（単繊維）の他、モノフィラメントを撚ってなるマルチフィラメントを採用することができる。より具体的には、金属製のモノフィラメントやマルチフィラメント、合成樹脂製のモノフィラメントやマルチフィラメント等を採用することができる。
【００１４】
芯材は金属製のモノフィラメントが撚られたマルチフィラメントからなるワイヤであり、被覆層は樹脂又はゴム製であることが好ましい。このような芯材は高い引っ張り強度と可撓性とを実現できる。また、被覆層が樹脂又はゴム製であれば、本体部内で被覆層が滑り難く、第１補強材や第２補強材が損傷を生じていない本体部の他の部分とともに重量物の重量をより支持し易い。
【００１５】
本体部は、長さ方向に延びる帯状のベルトからなることができる。特に、本体部は、長さ方向に延びる筒状のベルトからなることが好ましい。この場合、ベルト内に第１補強材や第２補強材を入れ、そのベルトを縫製することによって両端アイ形ベルトスリングを製造し易い。
【発明の効果】
【００１６】
本発明の玉掛け用繊維スリングは、高い吊り下げ可能重量を発揮しつつ、高い耐久性を実現可能である。
【図面の簡単な説明】
【００１７】
【図１】図１は、実施例１の両端アイ形ベルトスリングの平面図である。
【図２】図２は、実施例１の両端アイ形ベルトスリングの側面図である。
【図３】図３は、実施例１の両端アイ形ベルトスリングの一部破断平面図である。
【図４】図４は、実施例１の両端アイ形ベルトスリングに係り、製造方法の一工程を示す模式側面面である。
【図５】図５は、実施例１の両端アイ形ベルトスリングに係り、第１、２補強材の拡大断面図である。
【図６】図６は、実施例１の両端アイ形ベルトスリングに係り、製造方法の一工程を示す模式断面図である。
【図７】図７は、実施例２の両端アイ形ベルトスリングの使用時における破断側面図である。
【図８】図８は、実施例３の両端アイ形ベルトスリングに係り、製造方法の一工程を示す模式断面図である。
【発明を実施するための形態】
【００１８】
以下、本発明を具体化した実施例１〜３を図面を参照しつつ説明する。
【００１９】
（実施例１）
実施例１の玉掛け用繊維スリングは、図１及び図２に示すように、両端アイ形ベルトスリングである。この両端アイ形ベルトスリングは、長さ方向に延びる本体部１と、本体部１の一端に形成された第１アイ部３と、本体部１の他端に形成された第２アイ部５とからなる。本体部１、第１アイ部３及び第２アイ部５は、図６に示すように、帯状に長い筒状のベルト７と、厚さ方向の上側のベルト７内に挿通された第１補強材９と、厚さ方向の下側のベルト７内に挿通された第１補強材１１とからなる。
【００２０】
ベルト７は、ポリエステル繊維が綾織で織られた織布からなる。織布は、タテ糸とヨコ糸とにより平坦に織られた後、帯状に切断され、幅方向の両端が互いに溶着されて筒状とされている。
【００２１】
ベルト７は、図４に示すように、平面上において、一方側から他方側まで直線状に延ばされた第１直線部７ａと、第１直線部７ａの一方側で他方側に向けて折り返された第１折り返し部７ｂと、第１直線部７ａの他方側で一方側に向けて折り返された第２折り返し部７ｃと、第２折り返し部７ｃと連続して他方側から一方側まで直線状に延ばされた第２直線部７ｄとに折り曲げられている。第１直線部７ａと第２直線部７ｄとは、第１折り返し部７ａの他方側と重なる部分を除き、図６に示すように、上側のベルト７と下側のベルト７とが２層で重なっている。第１直線部７ａと第１折り返し部７ａの他方側と第２直線部７ｄとが重なる部分はベルト７が３層で重なっている。
【００２２】
第１直線部７ａ内には第１補強材９が挿通され、第２直線部７ｄ内には第１補強材１１が挿通されている。第１補強材９は第１直線部７ａの幅方向の一方側の縁近くに配置され、第１補強材１１は第２直線部７ｄの幅方向の他方側の縁近くに配置されている。また、図３に示すように、第１補強材９は一端９ａから他端９ｂまで線状に延びている。第１補強材１１も一端１１ａから他端１１ｂまで線状に延びている。第１補強材９の一端９ａと第１補強材１１の一端１１ａとは長さ方向のほぼ同じ位置に位置しており、第１補強材９の他端９ｂと第１補強材１１の他端１１ｂとも長さ方向のほぼ同じ位置に位置している。
【００２３】
第１補強材９、１１は、図５に示すように、線状の芯材１３と、芯材１３を被覆した被覆層１５とからなる。芯材１３は、太さ約０．５ｍｍのステンレス製の複数本のモノフィラメントが撚られ、太さ約２ｍｍとされたマルチフィラメントからなるワイヤである。被覆層１５はポリウレタン製である。
【００２４】
この両端アイ形ベルトスリングはおよそ以下のように製造される。まず、第１補強材９、１１が挿通されたベルト７が図４に示すように折り畳まれる。そして、図１に示すように、第１直線部７ａと第２直線部７ｄとが縫糸１７によって縫製され、本体部１とされる。また、第１折り返し部７ａは、ベルト７が二重に縫い付けられ、第１アイ部３とされる。同様に、第２折り返し部７ｃも、ベルト７が二重に縫い付けられ、第２アイ部５とされる。こうして、両端アイ形ベルトスリングが得られる。この際、本体部１が長さ方向に延びる筒状のベルト７からなるため、比較的容易に製造される。
【００２５】
この両端アイ形ベルトスリングの本体部１には、一端９ａが第１アイ部３側に位置し、他端９ｂが第２アイ部５側に位置し、一端９ａから他端９ｂまで連続する線状の第１補強材９と、一端１１ａが第１アイ部３側に位置し、他端１１ｂが第２アイ部５側に位置し、一端１１ａから他端１１ｂまで連続する線状の第１補強材１１とが設けられている。なお、本体部１に別の筒状の織布からなるカバーが設けられることもある。また、第１アイ部３や第２アイ部５に別の筒状の織布からなるカバーが設けられることもある。
【００２６】
この両端アイ形ベルトスリングは、第１アイ部３及び第２アイ部５にフック等の金具を通し、金具をクレーン等によって引き上げることによってＵ字状になった本体部１で重量物を吊り上げるようにして用いられる。
【００２７】
この両端アイ形ベルトスリングでは、本体部１に線状の第１補強材９、１１が設けられているため、本体部１の織布の一部に長期の使用等によって損傷が生じたとしても、第１補強材９、１１が損傷を生じていない本体部１の他の部分とともに重量物の重量を支持する。つまり、第１補強材９、１１は、一端９ａ、１１ａが本体部１の第１アイ部３側に位置し、他端９ｂ、１１ｂが本体部１の第２アイ部５側に位置し、一端９ａ、１１ａから９ｂ、１１ｂ他端まで連続しているため、重量物の重量を直に支持するのではなく、第１補強材９、１１が存在する損傷を生じていない本体部１の他の部分とともに重量物の重量を支持する。このため、この両端アイ形ベルトスリングは、重量物の重量が本体部１の損傷部分に集中し難いことから、繊維に解け難く、損傷部分で切断し難い。
【００２８】
また、第１補強材９、１１は、本体部１内の第１アイ部３側から第２アイ部５側まで連続しているに過ぎないことから、第１補強材９、１１だけが重量物の重量を支持せず、第１補強材９、１１に損傷が生じ難い。
【００２９】
したがって、この両端アイ形ベルトスリングは、高い吊り下げ可能重量を発揮しつつ、高い耐久性を実現可能である。特に、この両端アイ形ベルトスリングは、第１補強材９、１１が芯材１３と被覆層１５とからなるため、芯材１３が損傷し難く、より高い耐久性を発揮することができる。また、芯材１３がマルチフィラメントからなるワイヤであるため、芯材１３が高い引っ張り強度と可撓性とを実現できる。また、被覆層１５がポリウレタン製であるため、本体部１内で被覆層１５が滑り難く、第１補強材９、１１が損傷を生じていない本体部１の他の部分とともに重量物の重量をより支持し易い。
【００３０】
（実施例２）
実施例２の両端アイ形ベルトスリングは、図７に示すように、第１アイ部３に第２補強材１７を入れ、第２アイ部５にも本第２補強材１９を入れたものである。これら第２補強材１７、１９は、一端１７ａ、１９ａが本体部１内に位置し、第１アイ部３や第２アイ部５を経て他端１７ｂ、１９ｂが本体部１内に位置しており、本体部１内の第１補強材９、１１とは連続していない。第２補強材１７、１９は第１補強材９、１１と同種のものである。
【００３１】
この両端アイ形ベルトスリングでは、第１アイ部３及び第２アイ部５が本体部１とは別に第２補強材１７、１９によって補強されているため、より高い吊り下げ可能重量を発揮しつつ、高い耐久性を実現可能である。
【００３２】
（実施例３）
実施例３の両端アイ形ベルトスリングは、図８に示すように、ベルト７が筒状ではなく、帯状であり、第１直線部７ａと第２直線部７ｄとの間に第１補強材９、１１が挟持されている。この両端アイ形ベルトスリングにおいても、実施例１と同様の作用効果を奏することが可能である。
【００３３】
以上において、本発明を実施例１〜３に即して説明したが、本発明は上記実施例１〜３に制限されるものではなく、その趣旨を逸脱しない範囲で適宜変更して適用できることはいうまでもない。
【００３４】
例えば、実施例１〜３では、第１補強材９、１１を本体部１の幅方向の一方側の縁近くの１本と、他方側の縁近くの他の１本との２本としたが、本発明では、第１補強材は２本に限定はされず、１本又は３本以上の第１補強材を本体部に設けることができる。また、第２補強材１７、１９も、１本ずつに限定はされず、２本以上ずつを第１アイ部や第２アイ部に設けることができる。
【００３５】
また、実施例１〜３では、ポリエステル繊維で織られた織布を採用したが、ナイロン繊維、アラミド繊維、麻糸、綿糸等で織られた織布を採用することもできる。また、実施例１〜３では、綾織の織布を採用したが、平織の織布を採用することもできる。
【００３６】
本発明は、実施例１〜３で採用した両端アイ形ベルトスリングに限定されず、両端アイ形ラウンドスリングであってもよい。
【産業上の利用可能性】
【００３７】
本発明は玉掛け用繊維スリングに利用可能である。
【符号の説明】
【００３８】
１…本体部
３…第１アイ部
５…第２アイ部
９ａ、１１ａ…一端
９ｂ、１１ｂ…他端
９、１１…第１補強材
１３…芯材
１５…被覆層
１７ａ、１９ａ…一端
１７ｂ、１９ｂ…他端
１７、１９…第２補強材
７…ベルト
【図１】
2020121856.tif 000003
【図２】
2020121856.tif 000004
【図３】
2020121856.tif 000005
【図４】
2020121856.tif 000006
【図５】
2020121856.tif 000007
【図６】
2020121856.tif 000008
【図７】
2020121856.tif 000009
【図８】
2020121856.tif 000010